【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
通信システムにおいて実施される方法であって、
前記通信システムにおける経路の回線条件に関連するエラーパケットを受信することと、
顧客構内設備（ＣＰＥ）と、ベクトル制御エンティティ（ＶＣＥ）と、前記ＣＰＥおよび前記ＶＣＥから遠隔的な診断アプリケーションとのうちの１つ以上によって、前記受信したエラーパケットを使用して前記回線条件をモニタリングすることと、
を備える方法。
【請求項２】
前記回線条件をモニタリングすることは、前記エラーパケットの中のデータから診断物理（ＰＨＹ）レイヤプリミティブを導出することを備える、請求項１に記載の方法。
【請求項３】
前記エラーパケットは、正規化エラー・データ・サンプルを含む、請求項１に記載の方法。
【請求項４】
前記エラーパケットは、ＩＴＵ−Ｔ  Ｇ．９９３．５に規定されるようにＥＲＢを備える、請求項３に記載の方法。
【請求項５】
前記エラーパケットは、正規化エラー・データ・サンプルを含む、請求項２に記載の方法。
【請求項６】
前記エラーパケットは、ＩＴＵ−Ｔ  Ｇ．９９３．５に規定されるようにＥＲＢを備える、請求項５に記載の方法。
【請求項７】
前記通信システムは、超高速ビットレート・デジタル加入者線（ＶＤＳＬ）システムである、請求項１に記載の方法。
【請求項８】
前記経路は、ダウンストリーム経路である、請求項１に記載の方法。
【請求項９】
前記経路は、ダウンストリーム経路である、請求項７に記載の方法。
【請求項１０】
ネットワークを介して前記遠隔的な診断アプリケーションに前記エラーパケットを転送することをさらに備える、請求項１に記載の方法。
【請求項１１】
前記転送することは、イーサネット・トンネリングを備える、請求項１０に記載の方法。
【請求項１２】
前記転送することは、プロキシングを備える、請求項１０に記載の方法。
【請求項１３】
前記プロキシングは、前記エラーパケットをＩＰフレームの中にカプセル化することを含む、請求項１２に記載の方法。
【請求項１４】
前記モニタリングすることは、
前記エラーパケットから正規化エラーサンプルを抽出することと、
１つ以上の診断プリミティブを導出するために前記正規化エラーサンプルを処理することと、
を含む、請求項１に記載の方法。
【請求項１５】
前記診断プリミティブは、ディスターバのＰＳＤと、ＦＥＸＴカップリングと、同期シンボルに基づくＳＮＲと、回線換算ノイズと、ＦＥＸＴ無しのノイズと、バックグラウンドノイズと、ノイズ分布のヒストグラムと、ノイズ分布のモーメントと、隣接するトーン間の相関と、送信機非線形性とのうちの１つ以上を備える、請求項１４に記載の方法。
【請求項１６】
通信システムにおける経路の回線条件に関連するエラーパケットを受信する受信エンティティと、
顧客構内設備（ＣＰＥ）と、ベクトル制御エンティティ（ＶＣＥ）と、前記ＣＰＥおよび前記ＶＣＥから遠隔的な診断アプリケーションとのうちの１つ以上を備え、前記受信したエラーパケットを使用して前記回線条件を監視する解析装置と、
を備える通信システム。
【請求項１７】
前記解析装置は、前記エラーパケットの中のデータから診断物理（ＰＨＹ）レイヤプリミティブを導出する、請求項１６に記載のシステム。
【請求項１８】
前記エラーパケットは、正規化エラー・データ・サンプルを含む、請求項１６に記載のシステム。
【請求項１９】
前記エラーパケットは、ＩＴＵ−Ｔ  Ｇ．９９３．５に規定されるようにＥＲＢを備える、請求項１８に記載のシステム。
【請求項２０】
前記通信システムは、超高速ビットレート・デジタル加入者線（ＶＤＳＬ）システムである、請求項１６に記載のシステム。
【請求項２１】
前記経路は、ダウンストリーム経路である、請求項１６に記載のシステム。
【請求項２２】
ネットワークを介して前記遠隔的な診断アプリケーションに前記エラーパケットを転送する転送装置をさらに備える、請求項１６に記載のシステム。
【請求項２３】
前記転送装置は、プロキシ装置を備える、請求項２２に記載のシステム。
【請求項２４】
前記診断プリミティブは、ディスターバのＰＳＤと、ＦＥＸＴカップリングと、同期シンボルに基づくＳＮＲと、回線換算ノイズと、ＦＥＸＴ無しのノイズと、バックグラウンドノイズと、ノイズ分布のヒストグラムと、ノイズ分布のモーメントと、隣接するトーン間の相関と、送信機非線形性とのうちの１つ以上を備える、請求項１７に記載のシステム。
【手続補正２】
【補正対象書類名】明細書
【補正対象項目名】０１１６
【補正方法】変更
【補正の内容】
【０１１６】
本発明は、本発明の好ましい実施形態に関連して詳しく説明されているが、形式および詳細における変更および変形が発明の趣旨および範囲から逸脱することなく行われることがあることは、当業者に容易に明らかになるであろう。請求項は、このような変更および変形を包含することが意図されている。
なお、以下に、出願当初の特許請求の範囲に記載された発明を付記する。
［発明１］
通信システムにおいて実施される方法であって、
前記通信システムにおける経路の回線条件に関連するエラーパケットを受信することと、
顧客構内設備（ＣＰＥ）と、ベクトル制御エンティティ（ＶＣＥ）と、前記ＣＰＥおよび前記ＶＣＥから遠隔的な診断アプリケーションとのうちの１つ以上によって、前記受信したエラーパケットを使用して前記回線条件をモニタリングすることと、
を備える方法。
［発明２］
前記回線条件をモニタリングすることは、前記エラーパケットの中のデータから診断物理（ＰＨＹ）レイヤプリミティブを導出することを備える、発明１に記載の方法。
［発明３］
前記エラーパケットは、正規化エラー・データ・サンプルを含む、発明１に記載の方法。
［発明４］
前記エラーパケットは、ＩＴＵ−Ｔ  Ｇ．９９３．５に規定されるようにＥＲＢを備える、発明３に記載の方法。
［発明５］
前記エラーパケットは、正規化エラー・データ・サンプルを含む、発明２に記載の方法。
［発明６］
前記エラーパケットは、ＩＴＵ−Ｔ  Ｇ．９９３．５に規定されるようにＥＲＢを備える、発明５に記載の方法。
［発明７］
前記通信システムは、超高速ビットレート・デジタル加入者線（ＶＤＳＬ）システムである、発明１に記載の方法。
［発明８］
前記経路は、ダウンストリーム経路である、発明１に記載の方法。
［発明９］
前記経路は、ダウンストリーム経路である、発明７に記載の方法。
［発明１０］
ネットワークを介して前記遠隔的な診断アプリケーションに前記エラーパケットを転送することをさらに備える、発明１に記載の方法。
［発明１１］
前記転送することは、イーサネット・トンネリングを備える、発明１０に記載の方法。
［発明１２］
前記転送することは、プロキシングを備える、発明１０に記載の方法。
［発明１３］
前記プロキシングは、前記エラーパケットをＩＰフレームの中にカプセル化することを含む、発明１２に記載の方法。
［発明１４］
前記モニタリングすることは、
前記エラーパケットから正規化エラーサンプルを抽出することと、
１つ以上の診断プリミティブを導出するために前記正規化エラーサンプルを処理することと、
を含む、発明１に記載の方法。
［発明１５］
前記診断プリミティブは、ディスターバのＰＳＤと、ＦＥＸＴカップリングと、同期シンボルに基づくＳＮＲと、回線換算ノイズと、ＦＥＸＴ無しのノイズと、バックグラウンドノイズと、ノイズ分布のヒストグラムと、ノイズ分布のモーメントと、隣接するトーン間の相関と、送信機非線形性とのうちの１つ以上を備える、発明１４に記載の方法。
［発明１６］
通信システムにおける経路の回線条件に関連するエラーパケットを受信する受信エンティティと、
顧客構内設備（ＣＰＥ）と、ベクトル制御エンティティ（ＶＣＥ）と、前記ＣＰＥおよび前記ＶＣＥから遠隔的な診断アプリケーションとのうちの１つ以上を備え、前記受信したエラーパケットを使用して前記回線条件を監視する解析装置と、
を備える通信システム。
［発明１７］
前記解析装置は、前記エラーパケットの中のデータから診断物理（ＰＨＹ）レイヤプリミティブを導出する、発明１６に記載のシステム。
［発明１８］
前記エラーパケットは、正規化エラー・データ・サンプルを含む、発明１に記載のシステム。
［発明１９］
前記エラーパケットは、ＩＴＵ−Ｔ  Ｇ．９９３．５に規定されるようにＥＲＢを備える、発明１８に記載のシステム。
［発明２０］
前記通信システムは、超高速ビットレート・デジタル加入者線（ＶＤＳＬ）システムである、発明１６に記載のシステム。
［発明２１］
前記経路は、ダウンストリーム経路である、発明１６に記載のシステム。
［発明２２］
ネットワークを介して前記遠隔的な診断アプリケーションに前記エラーパケットを転送する転送装置をさらに備える、発明１６に記載のシステム。
［発明２３］
前記転送装置は、プロキシ装置を備える、発明２２に記載のシステム。
［発明２４］
前記診断プリミティブは、ディスターバのＰＳＤと、ＦＥＸＴカップリングと、同期シンボルに基づくＳＮＲと、回線換算ノイズと、ＦＥＸＴ無しのノイズと、バックグラウンドノイズと、ノイズ分布のヒストグラムと、ノイズ分布のモーメントと、隣接するトーン間の相関と、送信機非線形性とのうちの１つ以上を備える、発明１７に記載のシステム。